(57)【要約】      （修正有）【課題】部品形状および構造が簡単で目盛位置の調整が容易なレンズ装置を提供する。【解決手段】操作環２１を回転操作して、レンズ群の位置を光軸方向へ移動するレンズ装置Ｌ１において、操作環２１は、弾性板および弾性板を係合する凹部を有し、凹部の両端には弾性板を押圧する構造を有する。【選択図】図１
2017097136.tif 000002
【特許請求の範囲】
【請求項１】
操作環を回転操作して、レンズ群の位置を光軸方向へ移動するレンズ装置において、
前記操作環は、弾性板および前記弾性板を係合する凹部を有し、前記凹部の両端には前記弾性板を押圧する構造を有することを特徴とするレンズ装置。
【請求項２】
前記凹部の両端の弾性板を押圧する構造は、光軸方向に凹形状の一対の溝であることを特徴とする請求項１に記載のレンズ装置。
【請求項３】
前記凹部の両端の弾性板を押圧する構造は、一対の弾性リングであることを特徴とする請求項１に記載のレンズ装置。
【請求項４】
請求項１に記載の弾性板は、目盛が記載された目盛表示板であることを特徴とする
請求項２又は請求項３に記載のレンズ装置。
【請求項５】
請求項１に記載の弾性板は、無地の板であることを特徴とする請求項２又は請求項３に記載のレンズ装置。
【発明の詳細な説明】
【技術分野】
【０００１】
本発明は、レンズ装置に関し、特に操作環を操作してレンズ群の位置を光軸方向へ移動するレンズ装置に関する。
【背景技術】
【０００２】
従来、レンズ装置のフォーカスリングに備えられた目盛表示は、設計値に基づいて記されている。しかしながら、レンズ装置を構成する各部品の製造誤差により、目盛位置と実際の物体距離にずれが生じることがある。
【０００３】
特許文献１のように、フォーカスリング本体と別部品の目盛リングを設けた場合、目盛リングを固定しているネジを緩めることで目盛の位置の調整が可能となっている。
【０００４】
特許文献２では、フォーカスリングの外周部に、フォーカスリングとともに回動する表示手段（液晶）を設け、表示制御手段によって表示手段に表示させる目盛の位置を修正することが可能となっている。
【先行技術文献】
【特許文献】
【０００５】
【特許文献１】特開２００３−５００８号公報
【特許文献２】特開２００７−２９８６７２号公報
【発明の概要】
【発明が解決しようとする課題】
【０００６】
しかしながら、上述の特許文献１に開示された従来技術では、目盛位置の調整の際にはドライバー等の工具を用いて目盛リングを固定している複数のネジを緩める必要がある。上述の特許文献２に開示された従来技術では、外周部の表示手段に通電させる必要があり、レンズ装置の構造が複雑化し、高価になってしまう。
【０００７】
そこで、本発明の目的は、部品形状および構造が簡単で目盛位置の調整が容易なレンズ装置を提供することにある。
【課題を解決するための手段】
【０００８】
上記の目的を達成するために、本発明に係るレンズ装置は、
操作環を回転操作して、レンズ群の位置を光軸方向へ移動するレンズ装置において、前記操作環は、弾性板および前記弾性板を係合する凹部を有し、前記凹部の両端には前記弾性板を押圧する構造を有することを特徴とする。
【発明の効果】
【０００９】
本発明に係るレンズ装置によれば、部品形状および構造が簡単で目盛位置の調整が容易なレンズ装置を提供することができる。その結果、ドライバー等の工具を使用することなく、フォーカス目盛位置を調整することができる。
【図面の簡単な説明】
【００１０】
【図１】第１の実施例のレンズ装置の斜視図
【図２】第１の実施例のレンズ装置の主要部拡大断面図
【図３】第１の実施例の目盛表示部材取付作業時の斜視図
【図４】第２の実施例のレンズ装置の主要部拡大断面図
【発明を実施するための形態】
【００１１】
以下に、本発明の好ましい実施の形態を、添付の図面に基づいて詳細に説明する。
【００１２】
［第１の実施例］
図１は本発明の第1の実施例のレンズ装置の斜視図である。レンズ装置Ｌ１は固定筒１の外周部にフォーカスリング２１とアイリスリング３が回動自在に支持されている。
【００１３】
アイリスリング３の外周面には、絞り値を示す数値が表示されている。アイリスリング３を回動し、アイリスリング３に設けられた所望の絞り値をアイリス指標環４に設けられたアイリス指標線４ａに合せ、レンズ装置Ｌ１に内蔵された絞りユニットを駆動することで、所望の絞り値に設定される。
【００１４】
フォーカスリング２１の外周部には、フォーカス目盛表示を有するフォーカス目盛板５１がフォーカスリング２１の目盛板取付溝２１ａの曲面に沿って曲げられた状態で取り付けられている。フォーカスリング２１を回動し、フォーカス指標環６に設けられたフォーカス指標線６ａにフォーカス目盛板５１に設けられた所望の目盛を合せてフォーカス移動群Ｆを光軸方向に移動することで、レンズの合焦位置が所望の物体距離に設定される。
【００１５】
なお、フォーカス指標環６、アイリス指標環４、カメラとの接続部となるマウント環７は固定筒１に回動不能に固定されている。
【００１６】
図２、図３を用いて、第１の実施例のレンズ装置のフォーカスリング２１およびフォーカス目盛板５１の形状について説明する。
【００１７】
フォーカスリング２１の外周面には、フォーカス目盛板５１を挿通する目盛板挿通溝２１ａ、フォーカス目盛板５１を目盛板挿通溝２１ａに挿通するための切欠き２１ｂ、２１ｃが設けられている。フォーカス目盛板５１をフォーカスリング２１に装着する際には、図３のように、切欠き２１ｂ、２１ｃからフォーカス目盛板５１を挿入する。
【００１８】
フォーカス目盛板５１を目盛板挿通溝２１ａに挿入後、フォーカス目盛板５１は元の形状に戻ろうとするため、フォーカス目盛板５１の外周面がフォーカスリング２１の庇部２１ｄ、２１ｅの内周面に押し当たる。その際、フォーカスリング２１はフォーカス目盛板５１からレンズ装置Ｌ１の外向き方向に弾性力Ｋ１を受ける。フォーカス目盛板５１はこの弾性力Ｋ１により発生する摩擦力により、フォーカスリング２１に固定される。
【００１９】
フォーカス目盛位置の調整時には、フォーカス目盛板５１をレンズ装置Ｌ１の外側から略半径方向に押すことにより、フォーカス目盛板５１が庇部２１ｄ、２１ｅの内周面から離れる。したがって、弾性力Ｋ１により発生していた摩擦力が低減し、フォーカス目盛板５１の位置を周方向に移動することが可能となる。
【００２０】
本実施例によれば、工具を使用することなくフォーカス目盛位置を容易に調整することができる。
【００２１】
［第２の実施例］
図４を用いて、本発明の第２の実施例のレンズ装置について説明する。
【００２２】
第２の実施例のレンズ装置Ｌ２では、フォーカスリング２２の外周部にフォーカス目盛板５２を取り付ける目盛板取付溝２２ａが設けられている。フォーカス目盛板５２の外周側には、ゴムのように伸縮可能な弾性材料からなる固定リング８ａ、８ｂが設けられている。フォーカス目盛板５２は固定リング８ａ、８ｂの弾性力Ｋ２によりフォーカスリング２２に固定される。
【００２３】
フォーカス目盛位置の調整時には、固定リング８ａ、８ｂの一方あるいは両方の位置をフォーカス目盛板５２のない位置に移動させる。したがって、フォーカス目盛板５２を固定していた弾性力Ｋ２が低減し、フォーカス目盛板５２を周方向に移動することが可能となる。
【００２４】
第２の実施例によれば、工具を使用することなくフォーカス目盛位置を容易に調整することができ、固定リングにゴムを用いることで操作環の操作性の向上や操作環を操作する際の滑り止め効果を得ることもできる。
【００２５】
以上、本発明の好ましい実施形態について説明したが、本発明はこれらの実施形態に限定されず、その要旨の範囲内で種々の変形及び変更が可能である。
【００２６】
また、本実施例では、フォーカス目盛板に目盛表示を設けたが、目盛のない無地板をフォーカスリングに取り付けて使用することもできる。この無地板に、撮影シーンに対応するマークを付けることで、各撮影シーンに対応した合焦距離に合せることが可能となる。
【００２７】
上記各実施例によれば、部品形状および構造が簡単で目盛位置の調整が容易なレンズ装置を提供することができる。
【符号の説明】
【００２８】
Ｌ１，Ｌ２  レンズ装置、Ｆ  フォーカス移動群、２１，２２  操作環、
２１ａ  目盛板挿通溝、２１ｂ，２１ｃ  切欠き、２１ｄ，２１ｅ  庇部、
５１，５２  フォーカス目盛板、８ａ，８ｂ  固定リング
【図１】
2017097136.tif 000003
【図２】
2017097136.tif 000004
【図３】
2017097136.tif 000005
【図４】
2017097136.tif 000006